(57)【要約】      （修正有）【課題】多重化ストリームデータに多重化された複数のストリームデータの中から再生の基準となるストリームデータを選択することのできる多重化ストリームデータ再生装置を得る。【解決手段】基準クロック要求受付部１は、再生の基準クロックとなるストリームデータの指定を受け付ける。デマルチプレクサ部２は、基準クロック要求受付部１からの指定に基づいて、基準クロック再現部３に対して出力する基準時刻情報を、指定されたストリームデータから抽出する。基準クロック再現部３は、デマルチプレクサ部２から出力される基準時刻情報から基準クロックを再現する。デコーダ４−１〜４−ｎは、基準クロック再現部３から出力される基準クロックに基づき復号を行う。【選択図】図３
2010258785.tif 000002
【特許請求の範囲】
【請求項１】
複数のストリームデータが多重化された多重化ストリームデータを各々のストリームデータに分離すると共に、分離された各々のストリームデータを同期再生するための基準時刻情報を出力するデマルチプレクサ部と、
前記デマルチプレクサ部から出力される基準時刻情報から基準クロックを再現する基準クロック再現部と、
前記デマルチプレクサ部にて分離された各々のストリームデータを前記基準クロック再現部から出力される基準クロックに基づき復号する複数のデコーダと、
再生の基準クロックとなるストリームデータの指定を受け付け、当該指定されたストリームデータを前記デマルチプレクサ部に伝える基準クロック要求受付部とを備え、
前記デマルチプレクサ部は、前記基準クロック再現部に対して出力する基準時刻情報を、前記基準クロック要求受付部から伝えられたストリームデータから抽出することを特徴とする多重化ストリームデータ再生装置。
【請求項２】
複数の多重化ストリームデータの中から、再生対象とするストリームデータの指定を受け付け、当該指定をデマルチプレクサ部に伝えるストリームデータ要求受付部を備え、
前記デマルチプレクサ部は、前記ストリームデータ要求受付部から伝えられたストリームデータのみをデコーダに出力することを特徴とする請求項１記載の多重化ストリームデータ再生装置。
【発明の詳細な説明】
【技術分野】
【０００１】
この発明は、多重化されたストリームデータを再生する多重化ストリームデータ再生装置に関するものである。
【背景技術】
【０００２】
ストリームデータの多重化とは、複数のストリームデータを、同期再生可能な一つのストリームデータにまとめることである。身近な例として、ＤＶＤ（Ｄｉｇｉｔａｌ  Ｖｅｒｓａｔｉｌｅ  Ｄｉｓｋ）における映像と音声の多重化や、デジタルテレビジョン放送などにおける映像・音声・データの多重化などがある。このようなストリームデータを多重化する従来の方法としては以下のようなものがあった。
（１）ＭＰＥＧシステム型
（２）ＡＶＩ／ＡＳＦ型
ＭＰＥＧ：Ｍｏｔｉｏｎ  Ｐｉｃｔｕｒｅｓ  Ｅｘｐｅｒｔｓ  Ｇｒｏｕｐ
ＡＶＩ：Ａｕｄｉｏ  Ｖｉｄｅｏ  Ｉｎｔｅｒｆａｃｅ
ＡＳＦ：Ａｄｖａｎｃｅｄ  Ｓｙｓｔｅｍｓ  Ｆｏｒｍａｔ
【０００３】
上記の（１）の方法は、マルチメディアデータの多重化方式として国際標準化されているＭＰＥＧシステムによるものである（例えば、特許文献１および非特許文献１参照）。この方法では、多重化する各ストリームデータをＰＥＳ（Ｐａｃｋｅｔｉｚｅｄ  Ｅｌｅｍｅｎｔａｒｙ  Ｓｔｒｅａｍ）という単位で細かく区切り、それらを時刻順に並べていくことで多重化ストリームデータを構成する。多重化ストリームデータ内には、基準時刻情報（ＰＣＲ：Ｐｒｏｇｒａｍ  Ｃｌｏｃｋ  ＲｅｆｅｒｅｎｃｅおよびＳＣＲ：Ｓｙｓｔｅｍ  Ｃｌｏｃｋ  Ｒｅｆｅｒｅｎｃｅ）が含まれており、再生機側ではこれを使って再生機内に高精度な基準クロックを再現することができる。多重化ストリームデータを再生する際には、その基準クロックとＰＥＳ内に含まれるタイムスタンプ（ＰＴＳ：Ｐｒｅｓｅｎｔａｔｉｏｎ  Ｔｉｍｅ  ＳｔａｍｐおよびＤＴＳ：Ｄｅｃｏｄｉｎｇ  Ｔｉｍｅ  Ｓｔａｍｐ）とを照合して各ＰＥＳの再生タイミングを決定する。
【０００４】
一方、上記（２）の方法は、米マイクロソフト社により開発されたファイルフォーマットであり、パーソナルコンピュータ等において映像データ・音声データ・メタデータといったストリームデータを多重化するために頻繁に使われている方式である（例えば、非特許文献２参照）。本方式では、チャンクと呼ばれる単位で各ストリームデータを細かく区切り、それを時刻順に並べることで多重化ストリームデータを構成する。多重化ストリームデータ内にはヘッダ情報があり、その中に、各ストリームデータに対する更新頻度（再生周波数）が記載されている。多重化ストリームデータを再生する際には、この再生周波数に準じてチャンクを処理し多重化ストリームデータを再生する。
【先行技術文献】
【特許文献】
【０００５】
【特許文献１】特許第３８４９９４３号公報
【非特許文献】
【０００６】
【非特許文献１】ＩＳＯ／ＩＥＣ  １３８１８−１、ＩＳＯ／ＩＥＣ  １４４９６−１
【非特許文献２】Specification、Revision 01.20.02、Microsoft Corporation,June,2004、［平成２０年３月３１日検索］、インターネットURL<http://download.microsoft.com/download/e/0/6/e06db390-1e2a-4978-82bb-311810d8a28d/ASF_Specification.doc>
【発明の概要】
【発明が解決しようとする課題】
【０００７】
上記（１）の方式では、上述のように基準クロックをペースメーカーにして再生が行われる。しかしながら、基準クロックは、多重化されたストリームデータ全体に対して付けられるものであるから、このクロックを頼りにして再生すると、ストリームデータ全体に対する同期再生はできても、特定のストリームデータにフォーカスを当てた同期再生はできない。例えば、多重化ストリームデータ内に間欠的な時間でしか存在しないストリームデータが含まれていた場合、上記（１）の方式では多重化ストリーム全体に対し付けられた基準クロックに基づく同期再生しかできないから、間欠的なストリームデータが存在する区間のみを他のストリームデータと同期して再生することはできない。
【０００８】
また、上記（２）の方式の場合には、各ストリームデータが予め設定された再生周波数を基準に再生される。従って、多重化ストリームデータ内には、再生周波数に従って再生されるように各ストリームデータのチャンクを並べる必要がある。このため、この方式では（１）の方式と異なり、一部のストリームデータが途中で欠落している、あるいは途中でフレームレート等の再生周波数が変わる、といった多重化ストリームデータを構築することができない。
【０００９】
このように、従来の多重化ストリームデータの再生においては、多重化されたストリームデータを作成する時点で既に再生するパターンやデータを再生するタイミングが決まっており、一度多重化されてしまうと、再生機側では再生するタイミングを変更することはできないという問題があった。このため、必ずしもアプリケーションが意図する再生パターンで同期再生できるとは限らなかった。
【００１０】
この発明は上記のような課題を解決するためになされたもので、多重化ストリームデータに多重化された複数のストリームデータの中から再生の基準となるストリームデータを選択することのできる多重化ストリームデータ再生装置を得ることを目的とする。
【課題を解決するための手段】
【００１１】
この発明に係る多重化ストリームデータ再生装置は、複数のストリームデータが多重化された多重化ストリームデータを各々のストリームデータに分離すると共に、分離された各々のストリームデータを同期再生するための基準時刻情報を出力するデマルチプレクサ部と、デマルチプレクサ部から出力される基準時刻情報から基準クロックを再現する基準クロック再現部と、デマルチプレクサ部にて分離された各々のストリームデータを基準クロック再現部から出力される基準クロックに基づき復号する複数のデコーダと、再生の基準クロックとなるストリームデータの指定を受け付け、指定されたストリームデータをデマルチプレクサ部に伝える基準クロック要求受付部とを備え、デマルチプレクサ部は、基準クロック再現部に対して出力する基準時刻情報を、基準クロック要求受付部から伝えられたストリームデータから抽出するようにしたものである。
【発明の効果】
【００１２】
この発明の監視制御装置の多重化ストリームデータ再生装置は、デマルチプレクサ部から基準クロック再現部に対して出力する基準時刻情報を、指定されたストリームデータから抽出するようにしたので、多重化ストリームデータに多重化された複数のストリームデータの中から再生の基準となるストリームデータを選択することができる。
【図面の簡単な説明】
【００１３】
【図１】この発明の実施の形態１による多重化ストリームデータ再生装置を用いた監視システムの構成図である。
【図２】この発明の実施の形態１による多重化ストリームデータ再生装置における多重化ストリームデータのタイムラインを示す説明図である。
【図３】この発明の実施の形態１による多重化ストリームデータ再生装置を示す構成図である。
【図４】この発明の実施の形態２による多重化ストリームデータ再生装置を示す構成図である。
【図５】この発明の実施の形態２による多重化ストリームデータ再生装置における多重化ストリームデータのタイムラインを示す説明図である。
【発明を実施するための形態】
【００１４】
実施の形態１．
図１は、この発明の実施の形態１による多重化ストリームデータ再生装置を用いた監視システムの構成図である。
産業用監視分野では、ＣＣＴＶシステム等のカメラ映像を記録するレコーダにて、映像以外のデータも同時に記録するマルチログレコーダが実用化され始めている。図１では、カメラ１０１からの映像データ、マイク１０２からの音声データ、センサ１０３からの計測データを同時に記録するマルチログレコーダ１０４と、その記録されたデータを再生する再生装置１０５および再生装置１０５に接続された表示装置１０６、スピーカ１０７からなるシステムを示している。
【００１５】
マルチログレコーダ１０４では、上記映像データ、音声データ、計測データといったデータが時系列のストリームデータとして入力され、それを再生装置１０５で同期再生できるよう多重化して記録している。マルチログレコーダ１０４と再生装置１０５との間は、ネットワーク等により接続されており、再生装置１０５では、マルチログレコーダで記録された多重化ストリームデータを取り込むことができるようになっている。再生装置１０５に取り込まれた多重化ストリームデータは、装置内で復号され、映像データや計測データであれば表示装置１０６に、音声データであればスピーカ１０７に出力される。
【００１６】
しかしながら、音声データや計測データと比べ、映像データはデータ量が多いため、常に記録するのではなく、例えば画像処理を行って動きがあったときのみ記録する、あるいは昼間だけ記録し夜間は記録しないといった運用がなされることも多い。図２は、映像データ２０１、音声データ２０２、計測データ２０３を記録するマルチログレコーダにおいて、音声データ２０２は常時記録し、映像データは動きがあったときのみ記録し、計測データはセンサが反応したときのみ記録した場合の多重化ストリームデータをタイムラインでみた例である。図示のように、時刻ｔ１からｔ２の間は、映像データ２０１、音声データ２０２、計測データ２０３の全てが記録されている。時刻ｔ２からｔ３の間は映像データ２０１と音声データ２０２のみ記録している。時刻ｔ３からｔ４の間は音声データ２０２のみ記録し、ｔ４からｔ５の間は音声データ２０２と計測データ２０３を記録している。このようなストリームデータ群に対し、従来のＭＰＥＧシステム型による多重化を行うと、時刻ｔ１からｔ５までの間は常に音声データ２０２が存在するため、多重化ストリームデータは時刻ｔ１からｔ５までの時間区間を持ったデータになる。この多重化ストリームデータを再生すると、その再生には（ｔ５−ｔ１）だけの時間を要することになる。
【００１７】
一方、このようなデータを使って、センサによる計測データを表示することを主目的としたアプリケーションが組まれる場合を考える。このようなアプリケーションでは、計測データが主であるため、計測データの存在する区間のみを再生したいと考えるのが自然である。更に、それに合わせてその際の映像と音声も同時に確認したいという要望も少なくない。
【００１８】
しかしながら、従来のＭＰＥＧシステムといった再生機では、上記のような多重化ストリームデータに対しては計測データを基準に再生するというような選択肢はなく、多重化ストリームデータ内に存在する基準時刻情報をもとに基準クロックが再現され、そのクロックの進行にあわせて再生が行われる。上記の場合は、（ｔ２−ｔ１）＋（ｔ５−ｔ４）の時間だけ再生したいにもかかわらず、結果的に（ｔ５−ｔ１）の間、音声データを再生することになる。本発明においては、このような多重化ストリームデータに対しても、時刻の基準となるストリームデータを予め指定し、そのストリームデータの時刻の進行にあわせて他の多重化されたストリームデータも再生されることを目的とする。例えば、図２において、計測データの時刻を基準に指定した場合には、計測データのある区間のみを再生し、計測データのない区間はスキップして再生される。その際、多重化されている他のストリームデータもその時刻の進行にあわせて再生されたり、スキップして再生されたりする。一方、時刻の基準に、音声データやＭＰＥＧシステムにおける基準時刻（ＳＴＣ）を指定した場合、通常のＭＰＥＧシステムと同様に（ｔ５−ｔ１）の時間をかけて再生される。
【００１９】
図３は、実施の形態１の多重化ストリームデータ再生装置の構成図である。
本多重化ストリームデータ再生装置は、基準クロック要求受付部１、デマルチプレクサ（ＤＭＵＸ）部２、基準クロック再現部３、デコーダ４−１〜４−ｎ、出力部５−１〜５−ｎ、インタフェース６−１〜６−ｎを備えている。
基準クロック要求受付部１は、アプリケーションからの基準クロックの指定を受け付け、それをＤＭＵＸ部２に伝える。ＤＭＵＸ部２は、入力された多重化ストリームデータを分離すると共に基準クロック要求受付部１から伝えられた基準クロックに対応する時刻情報を基準クロック再現部３に伝える。基準クロック再現部３は、ＤＭＵＸ部２から出力される基準時刻情報から基準クロックを再現する。デコーダ４−１〜４−ｎは、ＤＭＵＸ部２にて分離されたＮ個のストリームデータに各々対応し、基準クロック再現部３からの基準クロックに基づき各々のストリームデータを復号する。また、出力部５−１〜５−ｎは、それぞれのデコーダ４−１〜４−ｎが出力する復号されたストリームデータを各々のストリームデータに対応するインタフェース６−１〜６−ｎに出力する。更に、インタフェース６−１〜６−ｎは、出力部５−１〜５−ｎから出力されたそれぞれのストリームデータを、例えば図１に示す表示装置１０６やスピーカ１０７に接続する。
【００２０】
次に、図２で説明した多重化ストリームデータを例にとって本実施の形態の動作を具体的に説明する。ここでは、アプリケーションは、計測データを主体に再生することを目的としたものと仮定する。そのような場合、アプリケーションは、計測データを時刻の基準とするよう基準クロック要求受付部１に対して指定する。指定した情報は、基準クロック要求受付部１からＤＭＵＸ部２に伝えられ、ＤＭＵＸ部２は、計測データが含まれるＰＥＳ内のＤＴＳ情報ないしはＰＴＳ情報を抽出し、基準クロック再現部３に伝える。基準クロック再現部３は、そのＤＴＳ情報ないしはＰＴＳ情報から基準クロックを再現する。映像データ、音声データ、計測データの各デコーダ４−１〜４−ｎは、ＤＭＵＸ部２から出力されたＰＥＳデータを受け取り、ＰＥＳデータ内に含まれるＤＴＳ情報あるいはＰＴＳ情報と、基準クロック再現部３にて再現された基準クロック値とを照合し、クロックが一致するＰＥＳデータを復号する。
【００２１】
この際、計測データは常時含まれているわけではなく、間欠的に含まれているので、計測データが持つＤＴＳ／ＰＴＳ情報は再生中に時刻がスキップする場合がある。この場合には、基準時刻もスキップすることになり、例えば音声データ用デコーダ等においては時刻情報が一致しないデータが存在することになるが、そのデータは破棄され、復号されない。復号されたストリームデータのみが各インタフェース６−１〜６−ｎに出力される。この結果、計測データが存在する時刻に対してのみ、映像データ、音声データ、計測データが同期再生されることになる。なお、映像データや音声データなどは、符号化方式によっては、ランダムアクセスポイントが決まってしまう場合がある。この場合には、事前のランダムアクセスポイントから再生する、あるいは次のランダムアクセスポイントから再生するといった形がとられる場合もある。
【００２２】
以上のように、本実施の形態においては、時刻の基準となるストリームデータを選択できるようにしたことにより、一つの多重化ストリームデータに対し、様々なアプリケーションで要求されるパターンの再生に対応できるようになる、という効果がある。
【００２３】
尚、本実施の形態においては、計測データがなかなか現れないようなデータである場合にはＤＭＵＸ部２とデコーダ４−１〜４−ｎとの間に大きめのバッファが必要になることは言うまでもない。
【００２４】
また、本実施の形態では、映像データ、音声データ、計測データを例にとって説明したが、多重化されるストリームデータはこれらに限ったものではなく、多様なストリームデータを含んでいても本発明の実現が可能であることは言うまでもない。
【００２５】
更に、本実施の形態においては、一例として、計測データを時刻の基準としたが、その他のストリームデータや従来のＰＣＲ／ＳＣＲを使ったシステム時刻ＳＴＣを時刻基準とすることもできる。また、多重化ストリームの中に、独自の時間軸を一つのストリームデータとしてその中に含めることも可能である。そして、そのようなデータを基準クロック要求受付部１から時刻の基準として指定すると、そのデータがペースメーカーとなって、独自の時間軸での再生も可能となる。例えば、ある映像監視システムにおいては、夜間のデータはそれほど重要ではなく、夜間部分に対しては早送り再生する機能が備えられていると便利な場合がある。このような場合、通常のＰＣＲ／ＳＣＲでは実時間で再生されてしまうので、夜間は早く時刻が流れるようなＰＴＳ／ＤＴＳ時刻を持ったストリームデータを挿入し、このストリームデータを対象に基準クロックを再現するよう指定する。そうすることで、夜間部分は早く時間が流れ、昼間は実時間で再生するということが可能となる。
【００２６】
また、画像処理した結果を一つのストリームデータとしてその中に含めることも可能である。このようなデータを時刻の基準に指定すると、画像処理の結果に追従した再生が可能となる。こうすることで、映像そのものは常時録画しておき、画像処理に反応した時間区間（例えば動きのあった区間）のみを再生することも可能である。
【００２７】
以上説明したように、実施の形態１の多重化ストリームデータ再生装置によれば、複数のストリームデータが多重化された多重化ストリームデータを各々のストリームデータに分離すると共に、分離された各々のストリームデータを同期再生するための基準時刻情報を出力するデマルチプレクサ部と、デマルチプレクサ部から出力される基準時刻情報から基準クロックを再現する基準クロック再現部と、デマルチプレクサ部にて分離された各々のストリームデータを基準クロック再現部から出力される基準クロックに基づき復号する複数のデコーダと、再生の基準クロックとなるストリームデータの指定を受け付け、指定されたストリームデータをデマルチプレクサ部に伝える基準クロック要求受付部とを備え、デマルチプレクサ部は、基準クロック再現部に対して出力する基準時刻情報を、基準クロック要求受付部から伝えられたストリームデータから抽出するようにしたので、多重化ストリームデータに多重化された複数のストリームデータの中から再生の基準となるストリームデータを選択することができる。
【００２８】
実施の形態２．
実施の形態２では、多重化ストリームデータの中に含まれるストリームデータのうち、再生するストリームデータ種別を選択しつつ、時刻の基準となるストリームデータを選択できるようにした例である。ストリームデータの選択は、例えば多重化方式がＭＰＥＧシステムの場合には、ストリームＩＤを指定することにより一意にストリームデータを特定できるので、これを複数指定することにより同期再生するストリームデータ群を指定することができる。
【００２９】
図４は、実施の形態２による多重化ストリームデータ再生装置の構成図である。
実施の形態２の多重化ストリームデータ再生装置は、基準クロック要求受付部１、ＤＭＵＸ部２ａ、基準クロック再現部３、デコーダ４−１〜４−ｎ、出力部５−１〜５−ｎ、インタフェース６−１〜６−ｎ、ストリームデータ要求受付部７を備えている。ここで、基準クロック要求受付部１、基準クロック再現部３〜インタフェース６−１〜６−ｎは、実施の形態１の構成と同様であるため、対応する部分に同一符号を付してその説明を省略する。ストリームデータ要求受付部７は、アプリケーションから、再生するストリームデータ群を受け付け、それをＤＭＵＸ部２ａに伝える機能を有している。また、ＤＭＵＸ部２ａは、実施の形態１のＤＭＵＸ部２の機能に加えて、ストリームデータ要求受付部７から指示された再生するストリームデータ群に基づいて、再生するストリームデータのみをデコーダ４−１〜４−ｎに出力する機能を有している。
【００３０】
次に、実施の形態２の多重化ストリームデータ再生装置の動作について説明する。
図５は、本実施の形態において、映像データ（＃１）３０１、映像データ（＃２）３０２、音声データ３０３、計測データ３０４を記録するマルチログレコーダにおいて、記録データをタイムラインでみた例である。映像データ（＃１）３０１は常時記録、映像データ（＃２）３０２は間欠記録を行っている。
【００３１】
ここで、本実施の形態におけるアプリケーションは、映像データ（＃１）３０１および映像データ（＃２）３０２、音声データ３０３のみを再生するものとし、映像データ（＃２）３０２を時刻の基準として再生したいとする。この場合には、計測データは不要であるので、再生の必要はない。そこで、アプリケーションは、ストリームデータ要求受付部７に対して、映像データ（＃１）３０１および映像データ（＃２）３０２、音声データ３０３のみを再生するよう要求する。また、アプリケーションは、基準クロック要求受付部１に対して、映像データ（＃２）３０２を時刻の基準として再生するよう要求を行う。
これにより、ＤＭＵＸ部２ａは、実施の形態１と同様に、音声データ３０３が含まれるＰＥＳ内のＤＴＳ情報ないしはＰＴＳ情報を抽出し、基準クロック再現部３に伝える。基準クロック再現部３は、そのＤＴＳ情報ないしはＰＴＳ情報から基準クロックを再現する。また、ＤＭＵＸ部２ａは、多重化ストリームデータより分離した映像データ（＃１）３０１、映像データ（＃２）３０２および音声データ３０３のみを、対応するデコーダ４−１〜４−ｎに送出する。
【００３２】
映像データ（＃１）３０１、映像データ（＃２）３０２および音声データ３０３に対応した各デコーダ４−１〜４−ｎは、ＤＭＵＸ部２ａから出力されたＰＥＳデータを受け取り、ＰＥＳデータ内に含まれるＤＴＳ情報あるいはＰＴＳ情報と、基準クロック再現部３にて再現された基準クロック値とを照合し、クロックが一致するＰＥＳデータを復号する。これにより、音声データ３０３に同期して映像データ（＃１）３０１、映像データ（＃２）３０２および音声データ３０３が出力部５−１〜５−ｎから出力される。
【００３３】
尚、上記実施の形態２では、選択するデータを映像データ、音声データとし、計測データを非選択としたが、本発明の効果は選択するストリームデータには依存しないことは言うまでもない。
また、実施の形態２では、同期再生するストリームデータのみをＤＭＵＸ部２ａからデコーダ４−１〜４−ｎに送出するようにしたが、ＤＭＵＸ部２ａから全てのストリームデータをデコーダ４−１〜４−ｎに送出し、別途、復号するストリームデータを指定するようにしてもよい。
【００３４】
以上のように、実施の形態２の多重化ストリームデータ再生装置では、複数の多重化ストリームデータの中から、再生対象とするストリームデータの指定を受け付け、この指定をデマルチプレクサ部に伝えるストリームデータ要求受付部を備え、デマルチプレクサ部は、ストリームデータ要求受付部から伝えられたストリームデータのみをデコーダに出力するようにしたので、実施の形態１の効果に加えて、一つの多重化ストリームデータに対し、少ない復号負荷で様々なアプリケーションで要求されるパターンの再生に対応できるようになる、という効果がある。
【符号の説明】
【００３５】
１  基準クロック要求受付部、２  ＤＭＵＸ（デマルチプレクサ）部、３  基準クロック再現部、４−１〜４−ｎ  デコーダ、５−１〜５−ｎ  出力部、６−１〜６−ｎ  インタフェース、７  ストリームデータ要求受付部、１０１  カメラ、１０２  マイク、１０３  センサ、１０４  マルチログレコーダ、１０５  再生装置、１０６  表示装置、１０７  スピーカ。
【図１】
2010258785.tif 000003
【図２】
2010258785.tif 000004
【図３】
2010258785.tif 000005
【図４】
2010258785.tif 000006
【図５】
2010258785.tif 000007